(57)【要約】      （修正有）【課題】二枚以上のカードを同時に接続可能で且つ、低背化が可能なカードコネクタの提供。【解決手段】カードトレイ５が挿入される前面側に開口したトレイ挿入部６１を有するハウジング６には、メモリカード用コンタクト７，７...がトレイ挿入部６１の奥側に片寄せて並設され、カードトレイ５には、メモリカード収容部５１とその開口側で連設し、他のカード４がその長手方向をメモリカード３と交差する方向に向けて収容されるカード収容部５２とを備え、カード収容部５２は、メモリカード収容部５１の開口側縁部に他のカードの長手方向端部が嵌り込む一対のカード嵌合凹部をメモリカード収容部５１に対しメモリカード用コンタクト７，７と反対側に片寄せて配置することにより形成されている。【選択図】図１
2016062854.tif 000002
【特許請求の範囲】
【請求項１】
長手方向端部表面に信号伝達端子を配設したメモリカードと、該メモリカードの全長に対し幅の狭い他のカードとを同時に接続可能なカードコネクタにおいて、
前記メモリカードと他のカードとを収容するカードトレイと、該カードトレイが挿入される前面側に開口したトレイ挿入部を有するハウジングと、前記トレイ挿入部に突出するように前記ハウジングの底板部に保持され、前記メモリカードの信号伝達端子と接触するメモリカード用コンタクトと、前記トレイ挿入部に突出するように前記ハウジングの底板部に保持され、前記他のカードの信号伝達端子と接触する他カード用コンタクトとを備え、
前記ハウジングには、前記メモリカード用コンタクトが前記トレイ挿入部の奥側又は手前側に片寄せて並設され、
前記カードトレイには、トレイ厚み方向の片面側に開口し、該開口より前記メモリカードを嵌め込み可能な凹状のメモリカード収容部と、該メモリカード収容部の開口側に配置され、前記他のカードがその長手方向を前記メモリカードと交差する方向に向けて収容されるカード収容部とを備え、
前記カード収容部は、前記メモリカード収容部の開口側縁部に前記他のカードの長手方向端部が嵌り込む一対のカード嵌合凹部を前記メモリカード収容部に対し前記メモリカード用コンタクトと反対側に片寄せて配置することにより形成されていることを特徴とするカードコネクタ。
【請求項２】
前記カード用コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングの底板部に支持させ、前記弾性接触部の先端部に形成された接点を前記他のカードの信号伝達端子と接触させるようにした請求項１に記載のカードコネクタ。
【発明の詳細な説明】
【技術分野】
【０００１】
本発明は、複数枚のカードを同時に接続可能なカードコネクタに関する。
【背景技術】
【０００２】
従来、スマートフォンやデジタルカメラ等の電子機器においては、一つの機器で複数枚のカード、例えば、ＩＣカードとフラッシュメモリカードとを外部記憶媒体として使用することが知られており、このような２枚のカードを同時に電子機器内のプリント配線基板に接続するカードコネクタとして所謂２スロット式のカードコネクタが使用されている。
【０００３】
この２スロット式のカードコネクタは、カードが挿入されるカード挿入部を上下２段に有するハウジングと、各カード挿入部の底面部より突出して各カード挿入部に挿入されたカードの信号伝達端子と接触する各コンタクトとを備え、同時に２枚のカードをプリント配線基板に接続させることができるようになっている（例えば、特許文献１を参照）。
【０００４】
また、２枚のカードを同時に電子機器内のプリント配線基板に接続するカードコネクタとしては、複数のコンタクトを並設したハウジングと、ハウジングに回動可能に支持されたホルダーとを備え、ホルダーにカードを二段配置に収容するようにしたものも開発されている（例えば、特許文献２を参照）。
【先行技術文献】
【特許文献】
【０００５】
【特許文献１】特開２００８−２０４８４７号公報
【特許文献２】特開２００３−１３２９７６号公報
【発明の概要】
【発明が解決しようとする課題】
【０００６】
しかしながら、上述の如き従来の２スロット式のカードコネクタでは、カード毎にハウジング構造、即ち、ハウジングを二段重ねにした構造を必要とするので、その分コネクタ全体の高さが嵩み、小型化を阻害する要因になっていた。
【０００７】
また、ハウジングに回動可能にホルダーを支持させた従来のカードコネクタでは、ホルダーを回動させる際にカードが脱落しないように保持するため、両カードの間にカードを保持する部材を介在させる必要があり、その分、ホルダーの厚みが嵩むのでコネクタ全体の高さも嵩み、コネクタの低背化を阻害する要因となっていた。
【０００８】
更に、この種のホルダーを備えている従来のカードコネクタでは、ホルダーを回動動作させることによりカードの着脱を行うので、カードの着脱作業を行う為にコネクタの上方にホルダーが回動できるスペースを確保する必要があり、当該カードコネクタが内蔵される電子機器筐体の設計自由度を阻害するという問題があった。
【０００９】
そこで、本発明は、このような従来の問題に鑑み、二枚以上のカードを同時に接続可能で且つ、低背化が可能なカードコネクタの提供を目的としてなされたものである。
【課題を解決するための手段】
【００１０】
上述の如き従来の問題を解決し、所期の目的を達成するための請求項1に記載の発明の特徴は、長手方向端部表面に信号伝達端子を配設したメモリカードと、該メモリカードの全長に対し幅の狭い他のカードとを同時に接続可能なカードコネクタにおいて、前記メモリカードと他のカードとを収容するカードトレイと、該カードトレイが挿入される前面側に開口したトレイ挿入部を有するハウジングと、前記トレイ挿入部に突出するように前記ハウジングの底板部に保持され、前記メモリカードの信号伝達端子と接触するメモリカード用コンタクトと、前記トレイ挿入部に突出するように前記ハウジングの底板部に保持され、前記他のカードの信号伝達端子と接触する他カード用コンタクトとを備え、前記ハウジングには、前記メモリカード用コンタクトが前記トレイ挿入部の奥側又は手前側に片寄せて並設され、前記カードトレイには、トレイ厚み方向の片面側に開口し、該開口より前記メモリカードを嵌め込み可能な凹状のメモリカード収容部と、該メモリカード収容部の開口側に配置され、前記他のカードがその長手方向を前記メモリカードと交差する方向に向けて収容されるカード収容部とを備え、前記カード収容部は、前記メモリカード収容部の開口側縁部に前記他のカードの長手方向端部が嵌り込む一対のカード嵌合凹部を前記メモリカード収容部に対し前記メモリカード用コンタクトと反対側に片寄せて配置することにより形成されているカードコネクタにある。
【００１１】
請求項２に記載の発明の特徴は、請求項１の構成に加え、前記カード用コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングの底板部に支持させ、前記弾性接触部の先端部に形成された接点を前記他のカードの信号伝達端子と接触させるようにしたことにある。
【発明の効果】
【００１２】
本発明に係るカードコネクタは、上述したように、長手方向端部表面に信号伝達端子を配設したメモリカードと、該メモリカードの全長に対し幅の狭い他のカードとを同時に接続可能なカードコネクタにおいて、前記メモリカードと他のカードとを収容するカードトレイと、該カードトレイが挿入される前面側に開口したトレイ挿入部を有するハウジングと、前記トレイ挿入部に突出するように前記ハウジングの底板部に保持され、前記メモリカードの信号伝達端子と接触するメモリカード用コンタクトと、前記トレイ挿入部に突出するように前記ハウジングの底板部に保持され、前記他のカードの信号伝達端子と接触する他カード用コンタクトとを備え、前記ハウジングには、前記メモリカード用コンタクトが前記トレイ挿入部の奥側又は手前側に片寄せて並設され、前記カードトレイには、トレイ厚み方向の片面側に開口し、該開口より前記メモリカードを嵌め込み可能な凹状のメモリカード収容部と、該メモリカード収容部の開口側に配置され、前記他のカードがその長手方向を前記メモリカードと交差する方向に向けて収容されるカード収容部とを備え、前記カード収容部は、前記メモリカード収容部の開口側縁部に前記他のカードの長手方向端部が嵌り込む一対のカード嵌合凹部を前記メモリカード収容部に対し前記メモリカード用コンタクトと反対側に片寄せて配置することにより形成されていることにより、二枚のカードをカードトレイに重ね合わせて収容できるとともに、重ね合わせた二枚のカードのそれぞれの信号伝達端子に底板側より対応するコンタクトを接触させることができ、多段配置のハウジング構造が必要なく、カード間にカードを保持するための部材を介在させる必要もないので、その分低背化が可能となる。
【００１３】
また、本発明において、前記カード用コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングの底板部に支持させ、前記弾性接触部の先端部に形成された接点を前記他のカードの信号伝達端子と接触させるようにしたことにより、他のカードをその長手方向をコネクタ幅方向に向けたことでトレイ挿入方向間の信号伝達端子間方向間隔が狭い場合でも、他のカードと接触する部分をトレイ挿入方向に向けるとともに十分なバネスパンを確保することができる。
【図面の簡単な説明】
【００１４】
【図１】本発明に係るカードコネクタの一例を示す縦断面図である。
【図２】図１中のメモリカードを示す平面図である。
【図３】同上の他のカードの一例を示す平面図である。
【図４】（ａ）は図１中のカードトレイを示す底面図、（ｂ）は同Ａ−Ａ線断面図、（ｃ）は同Ｂ−Ｂ線断面図である。
【図５】図１中のハウジングの他カード用コンタクト部分を示すシールドカバーを外した状態の部分平面図である。
【図６】図４中のカードトレイにメモリカード及び他のカードを収容した状態を示す図であって、（ａ）は底面図、（ｂ）は同Ａ−Ａ線断面図、（ｃ）は同Ｂ−Ｂ線断面図である。
【発明を実施するための形態】
【００１５】
次に、本発明に係るカードコネクタの実施の態様を図１〜図６に示した実施例に基づいて説明する。尚、図中符号１はカードコネクタ、符号２はカードコネクタ１が実装されるプリント配線基板である。
【００１６】
このカードコネクタ１は、メモリカード３と他のカード４とを収容するカードトレイ５と、カードトレイ５が挿入される前面側に開口したトレイ挿入部６１を有するハウジング６と、トレイ挿入部６１に突出するようにハウジング６の底板部６２１に保持され、メモリカード３の信号伝達端子と接触するメモリカード用コンタクト７，７...と、トレイ挿入部６１に突出するようにハウジング６の底板部６２１に保持され、他のカード４の信号伝達端子と接触する他カード用コンタクト８，８...とを備え、カードトレイ５にメモリカード３及び他のカード４を収容させ、その状態でカードトレイ５をトレイ挿入部６１に挿入することによりメモリカード３の信号伝達端子３２，３２...が対応するメモリカード用コンタクト７，７...と弾性的に接触し、他のカード４の信号伝達端子４２，４２...が対応する他カード用コンタクト８，８...と弾性的に接触し、メモリカード３及び他のカード４とプリント配線基板２とをカードコネクタ１を介して電気的に接続するようになっている。
【００１７】
尚、本実施例では、ハウジング６の基板２実装側をトレイ挿入部６１の底とし、トレイ挿抜方向の奥側を前、手前側を後として説明する。
【００１８】
メモリカード３は、例えば、図２に示すように、小型のフラッシュメモリカードであって、カード全幅Ｄ１に比してカード全長Ｌ１が長い矩形状に形成され、カード長手方向の一方の端部に他の部分に比してカード幅の狭い縮幅部３１を有している。
【００１９】
この縮幅部３１は、カード幅Ｄ１方向の一方に片寄せて配置され、この縮幅部３１の片面にカード全長方向に向けた複数の信号伝達端子３２，３２...が互いに平行にカード幅方向に並べて配列されている。
【００２０】
他のカード４は、例えば、図３に示す如きＩＣカードであって、カード全幅Ｄ２に比してカード全長Ｌ２が長い矩形状に形成され、カード全長Ｌ２がメモリカード３の全幅Ｄ１より長く、且つ、カード全幅Ｄ２がメモリカード３の全長Ｌ１より狭く形成されている。尚、図中符号４１は矩形状の一方の隅部に斜め方向に切欠いた形状の位置決め部である。
【００２１】
このカード４の片面には、複数の信号伝達端子４２，４２...をカード幅方向に並べてなる一対の信号伝達端子列がカード全長方向に間隔を置いて並列配置に形成されている。
【００２２】
カードトレイ５は、図４に示すように、メモリカード３及び他のカード４を収容可能な一定の厚みを有する平板状のトレイ本体５１と、トレイ本体５１のトレイ挿入方向手前側に配置された前面蓋部５２とを有している。
【００２３】
トレイ本体５１は、トレイ厚み方向の片面側、本実施例では底側に開口し、開口よりメモリカード３を嵌め込み可能な凹状のメモリカード収容部５３と、メモリカード収容部５３の開口側に配置され、他のカード４をその長手方向をメモリカード３と交差する方向に向けて収容する他カード収容部５４とを備え、メモリカード３と他のカード４とが互いに交差しつつ重ね合わせた状態に収容できるようになっている。
【００２４】
メモリカード収容部５３は、メモリカード３の外形に整合させてトレイ本体５１の片面側よりトレイ本体５１の厚み方向に凹ませた形状に形成され、メモリカード３が信号伝達端子３２，３２...側面を開口側に向けて収容されるようになっている。
【００２５】
即ち、メモリカード収容部５３は、トレイ本体５１のトレイ挿入方向奥側部にメモリカード３の縮幅部３１が嵌め込まれる縮幅凹部５３１と、縮幅凹部５３１のトレイ挿入方向手前側に連続して配置された広幅凹部５３２とを備えた形状に形成されている。
【００２６】
また、メモリカード収容部５３は、メモリカード３の厚みと他のカード４の厚みとを加えた深さ、即ち、カード二枚分の厚みと略同じ深さに形成されている。
【００２７】
他カード収容部５４は、他のカード４の外形に合わせてトレイ本体５１の片面側よりトレイ本体５１の厚み方向に凹ませた形状に形成され、他のカード４が信号伝達端子４２，４２...側面を開口側に向けて収容されるようになっている。
【００２８】
この他カード収容部５４は、メモリカード収容部５３の開口両側縁部に他のカード４の長手方向端部が嵌り込む一対のカード嵌合凹部５４１，５４２をメモリカード収容部５３に対しメモリカード用コンタクト７，７...と反対側、即ち、トレイ挿抜方向の手前側に片寄せて配置することにより形成されている。
【００２９】
即ち、他カード収容部５４は、メモリカード収容部５３のトレイ挿抜方向手前側をトレイ本体５１幅方向で横切る配置に形成されるとともに、メモリカード収容部５３と重なる部分が空隙となっており、他カード収容部５４にカードが未収容の状態では、メモリカード３がメモリカード収容部５３に嵌め込まれるのを妨げない構造になっている。
【００３０】
各カード嵌合凹部５４１，５４２は、他のカード４の厚みと略同じ深さに形成され、一方のカード嵌合凹部５４１には、位置決め部４１の位置に合わせて傾斜部５４３が形成され、位置決め部４１の位置を傾斜部５４３の位置に合わせることにより、他のカード４が一方向でのみ収容されるようになっている。
【００３１】
また、トレイ本体５１には、前端部の片面側にメモリカード収容部５３と連設配置に回避用凹部５５が形成され、メモリカード用コンタクト７，７...及び他カード用コンタクト８，８...を回避用凹部５５に通すことにより、トレイ本体５１とメモリカード用コンタクト７，７...及び他カード用コンタクト８，８...とが互いにトレイ挿抜方向で相対移動可能になっている。
【００３２】
前面蓋部５２は、カードコネクタ１がスマートフォン等の電気機器に組み込まれた際に機器筐体の外側面に露出するようになっており、カードトレイ５がハウジング６より排出された場合、カードトレイ５が機器筐体の外側面より引き出し状に突出するようになっている。
【００３３】
ハウジング６は、絶縁性合成樹脂によってモールド成形されたモールド部６２と、その上面及び側面を覆うように組み込まれたシールドカバー６３とから構成されており、モールド部６２の上面にトレイ挿入部６１がモールド部６２の上面を凹ませた形状に形成され、その上面部をシールドカバー６３によって覆っている。
【００３４】
モールド部６２の底板部６２１には、メモリカード用コンタクト７，７...及び他カード用コンタクト８，８...がインサート成形により一体的に組み込まれ、トレイ挿入部６１のトレイ挿入方向奥側に片寄せて複数のメモリカード用コンタクト７，７...がコネクタ幅方向に間隔を置いた平行配置に並接され、トレイ挿入部６１のトレイ挿入方向手前側の底板部６２１に複数の他カード用コンタクト８，８...がトレイ挿入方向に並べた配置に備えられ、カードトレイ５が挿入された際に、メモリカード用コンタクト７，７...がメモリカード３の片面に配置された信号伝達端子３２，３２...と接触し、他カード用コンタクト８，８...が他のカード４の片面に形成された信号伝達端子４２，４２...と接触するようになっている。
【００３５】
他カード用コンタクト８は、弾性を有する導電性金属板材を打ち抜き・折り曲げ加工することにより形成され、図５に示すように、カードトレイ挿入方向と交差する方向に向けた弾性支持部８１と、弾性支持部８１の一端側にカードトレイ挿入方向に向けて支持させた弾性接触部８２とを一体に備え、弾性支持部８１と弾性接触部８２とが平面視Ｌ字状を成すように形成されている。
【００３６】
弾性支持部８１は、細長板状に形成され、長手方向の一端、即ち弾性接触部８２とは反対側の端部がインサート成形によりモールド部６２に埋設され、他端側がトレイ挿入部６１の底板部６２１に形成された回避窓６２２の内側縁より回避窓６２２内にコネクタ幅方向中央側に向けて水平に突出している。
【００３７】
また、弾性支持部８１の一端側には、接続端子部８３が一体に形成され、この接続端子部８３の先端部がハウジング６側縁部の底面に露出され、半田付け等によりプリント配線基板２の接続パターンに固着されるようになっている。
【００３８】
一方、弾性接触部８２は、弾性支持部８１の中央側端部側縁よりトレイ挿入方向奥側且つシールドケース側に向けた斜め方向に向けて傾斜した形状に形成され、トレイ挿入部６１内に突出して先端の接点８２１がトレイ挿入部６１内底面、即ち底板部６２１よりシールドカバー６３側に浮き上がった状態に備えられている。
【００３９】
他のカード４を他カード収容部５４に収容させた場合、各信号伝達端子列を成す信号伝達端子４２，４２...がトレイ挿入方向に直列に並べて配置されるため、各他カード用コンタクト８の接点８２１，８２１は、トレイ挿入方向に間隔を置いて配置される必要がある。
【００４０】
一方、各他カード用コンタクト８の弾性接触部８２は、カードトレイ挿入時におけるカードトレイ５と他カード用コンタクト８，８...との接触による変形を防止するため、トレイ挿入方向奥側且つシールドケース側に向けて傾斜した形状とし、カードトレイ５の挿入に伴って弾性変形できることが好ましい。
【００４１】
従って、各他カード用コンタクト８，８...は、トレイ挿入方向奥側且つシールドケース側に向けて傾斜した形状の弾性接触部８２がトレイ挿入方向に向けて直列に配置されることが望まれる。
【００４２】
そこで、本実施例の他カード用コンタクト８，８...では、弾性支持部８１と弾性接触部８２とを平面視Ｌ字状を成すように形成することにより、弾性支持部８１の回避窓６２２に露出した部分が弾性接触部８２とともにバネ材として機能し、十分なバネスパンを確保している。
【００４３】
よって、他のカード４をそのカード全長Ｌ２方向をトレイ幅方向に向けてカードトレイ５に収容した場合にも対応できるようになっている。
【００４４】
一方、メモリカード用コンタクト７，７...は、弾性を有する導電性金属板材を打ち抜き・折り曲げ加工することにより一体に形成され、モールド部６２に固定される固定片部７１と、固定片部７１にカードトレイ挿入方向に向けて支持させた弾性接触片部７２とを備えている。
【００４５】
弾性接触片部７２は、トレイ挿入部６１内に突出して先端の接点７２１がトレイ挿入部６１内底面よりシールドカバー６３側に浮き上がった状態に形成され、且つ、接点７２１の高さが他カード用コンタクト８，８...の接点８２１の高さより高く、且つ、メモリカード収容部５３に収容されたメモリカード３の信号伝達端子３２，３２に対し所望の接触圧で接触可能な高さとなるように形成されている。
【００４６】
このカードコネクタ１においては、図６に示すように、メモリカード３及び他のカード４をそれぞれカードトレイ５のメモリカード収容部５３及び他カード収容部５４にそれぞれ収容することにより、二枚のカード３，４をカードトレイ５に重ね合わせて収容でき、その状態でカードトレイ５をハウジング６に対し出し入れすることができるので、両カード３，４間に各カードを保持するための構造を介在させることなく、ハウジング６に対し二枚のカード３，４を出し入れできる。
【００４７】
また、カードトレイ５をトレイ挿入部６１に挿入した際、カードトレイ５に収容されたメモリカード３及び他のカード４は、図６に示すように、他カード収容部５４がメモリカード収容部５３に対し、カード挿抜方向手前側に片寄せて交差するように形成されているので、他カード収容部５４にカード４が収容されるとメモリカード収容部５３の開口部の手前側が他のカード４によって塞がれる一方、奥側に開口したままの端子露出部５３３が形成される。
【００４８】
従って、このように構成されたカードコネクタ１においては、二枚のカード３，４がカードトレイ５に重ね合わせて収容されていても、開口側に位置する他のカード４の信号伝達端子４２，４２...は露出した状態にあり、メモリカード３の各信号伝達端子３２，３３２が端子露出部５３３を通して露出しているので、重ね合わされたメモリカード３の各信号伝達端子３２，３２...にメモリカード用コンタクト７，７...が、他のカード４の各信号伝達端子４２，４２...に他カード用コンタクト８，８...がそれぞれ底板部６２１側より接触することができる。
【００４９】
尚、上述の実施例では、メモリカード３と他のカード４とを同時にカードトレイ５に収容した例について説明したが、メモリカード３又は他のカード４を単独で収容し、ハウジング６に接続させることも可能である。
【００５０】
また、他のカード４は、上述の実施例で例示した規格のものに拘泥されず、他のカードがメモリカード３と同様に信号伝達端子をカード全長方向の一方の端部の片面にカード幅方向に配列したものであってもよい。
【符号の説明】
【００５１】
１  カードコネクタ
２  基板
３  メモリカード
３１  縮幅部
３２  信号伝達端子
４  他のカード
４１  位置決め部
４２  信号伝達端子
５  カードトレイ
５１  トレイ本体
５２  前面蓋部
５３  メモリカード収容部
５３１  縮幅凹部
５３２  広幅凹部
５３３  端子露出部
５４  他カード収容部
５４１，５４２  カード嵌合凹部
５４３  傾斜部
５５  回避用凹部
６  ハウジング
６１  トレイ挿入部
６２  モールド部
６２１  底板部
６２２  回避窓
６３  シールドカバー
７  メモリカード用コンタクト
７１  固定片部
７２  弾性接触片部
７２１  接点
８  他カード用コンタクト
８１  弾性支持部
８２  弾性接触部
８２１  接点
８３  接続端子部
【図１】
2016062854.tif 000003
【図２】
2016062854.tif 000004
【図３】
2016062854.tif 000005
【図４】
2016062854.tif 000006
【図５】
2016062854.tif 000007
【図６】
2016062854.tif 000008
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
長手方向端部表面に信号伝達端子を配設したメモリカードと、該メモリカードの全長に対し幅の狭い他のカードとを同時に接続可能なカードコネクタにおいて、
前記メモリカードと他のカードとを収容するカードトレイと、該カードトレイが挿入される前面側に開口したトレイ挿入部を有するハウジングと、前記トレイ挿入部に突出するように前記ハウジングの底板部に保持され、前記メモリカードの信号伝達端子と接触するメモリカード用コンタクトと、前記トレイ挿入部に突出するように前記ハウジングの底板部に保持され、前記他のカードの信号伝達端子と接触する他カード用コンタクトとを備え、
前記ハウジングには、前記メモリカード用コンタクトが前記トレイ挿入部の奥側又は手前側に片寄せて並設され、
前記カードトレイには、トレイ厚み方向の片面側に開口し、該開口より前記メモリカードを嵌め込み可能な凹状のメモリカード収容部と、該メモリカード収容部の開口側に配置され、前記他のカードがその長手方向を前記メモリカードと交差する方向に向けて収容される他カード収容部とを備え、
該他カード収容部は、前記メモリカード収容部の開口側縁部に前記他のカードの長手方向端部が嵌り込む一対のカード嵌合凹部を前記メモリカード収容部に対し前記メモリカード用コンタクトと反対側に片寄せて配置することにより形成されていることを特徴とするカードコネクタ。
【請求項２】
前記他カード用コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングの底板部に支持させ、前記弾性接触部の先端部に形成された接点を前記他のカードの信号伝達端子と接触させるようにした請求項１に記載のカードコネクタ。
【手続補正２】
【補正対象書類名】明細書
【補正対象項目名】全文
【補正方法】変更
【補正の内容】
【発明の詳細な説明】
【技術分野】
【０００１】
本発明は、複数枚のカードを同時に接続可能なカードコネクタに関する。
【背景技術】
【０００２】
従来、スマートフォンやデジタルカメラ等の電子機器においては、一つの機器で複数枚のカード、例えば、ＩＣカードとフラッシュメモリカードとを外部記憶媒体として使用することが知られており、このような２枚のカードを同時に電子機器内のプリント配線基板に接続するカードコネクタとして所謂２スロット式のカードコネクタが使用されている。
【０００３】
この２スロット式のカードコネクタは、カードが挿入されるカード挿入部を上下２段に有するハウジングと、各カード挿入部の底面部より突出して各カード挿入部に挿入されたカードの信号伝達端子と接触する各コンタクトとを備え、同時に２枚のカードをプリント配線基板に接続させることができるようになっている（例えば、特許文献１を参照）。
【０００４】
また、２枚のカードを同時に電子機器内のプリント配線基板に接続するカードコネクタとしては、複数のコンタクトを並設したハウジングと、ハウジングに回動可能に支持されたホルダーとを備え、ホルダーにカードを二段配置に収容するようにしたものも開発されている（例えば、特許文献２を参照）。
【先行技術文献】
【特許文献】
【０００５】
【特許文献１】特開２００８−２０４８４７号公報
【特許文献２】特開２００３−１３２９７６号公報
【発明の概要】
【発明が解決しようとする課題】
【０００６】
しかしながら、上述の如き従来の２スロット式のカードコネクタでは、カード毎にハウジング構造、即ち、ハウジングを二段重ねにした構造を必要とするので、その分コネクタ全体の高さが嵩み、小型化を阻害する要因になっていた。
【０００７】
また、ハウジングに回動可能にホルダーを支持させた従来のカードコネクタでは、ホルダーを回動させる際にカードが脱落しないように保持するため、両カードの間にカードを保持する部材を介在させる必要があり、その分、ホルダーの厚みが嵩むのでコネクタ全体の高さも嵩み、コネクタの低背化を阻害する要因となっていた。
【０００８】
更に、この種のホルダーを備えている従来のカードコネクタでは、ホルダーを回動動作させることによりカードの着脱を行うので、カードの着脱作業を行う為にコネクタの上方にホルダーが回動できるスペースを確保する必要があり、当該カードコネクタが内蔵される電子機器筐体の設計自由度を阻害するという問題があった。
【０００９】
そこで、本発明は、このような従来の問題に鑑み、二枚以上のカードを同時に接続可能で且つ、低背化が可能なカードコネクタの提供を目的としてなされたものである。
【課題を解決するための手段】
【００１０】
上述の如き従来の問題を解決し、所期の目的を達成するための請求項1に記載の発明の特徴は、長手方向端部表面に信号伝達端子を配設したメモリカードと、該メモリカードの全長に対し幅の狭い他のカードとを同時に接続可能なカードコネクタにおいて、前記メモリカードと他のカードとを収容するカードトレイと、該カードトレイが挿入される前面側に開口したトレイ挿入部を有するハウジングと、前記トレイ挿入部に突出するように前記ハウジングの底板部に保持され、前記メモリカードの信号伝達端子と接触するメモリカード用コンタクトと、前記トレイ挿入部に突出するように前記ハウジングの底板部に保持され、前記他のカードの信号伝達端子と接触する他カード用コンタクトとを備え、前記ハウジングには、前記メモリカード用コンタクトが前記トレイ挿入部の奥側又は手前側に片寄せて並設され、前記カードトレイには、トレイ厚み方向の片面側に開口し、該開口より前記メモリカードを嵌め込み可能な凹状のメモリカード収容部と、該メモリカード収容部の開口側に配置され、前記他のカードがその長手方向を前記メモリカードと交差する方向に向けて収容される他カード収容部とを備え、該他カード収容部は、前記メモリカード収容部の開口側縁部に前記他のカードの長手方向端部が嵌り込む一対のカード嵌合凹部を前記メモリカード収容部に対し前記メモリカード用コンタクトと反対側に片寄せて配置することにより形成されているカードコネクタにある。
【００１１】
請求項２に記載の発明の特徴は、請求項１の構成に加え、前記他カード用コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングの底板部に支持させ、前記弾性接触部の先端部に形成された接点を前記他のカードの信号伝達端子と接触させるようにしたことにある。
【発明の効果】
【００１２】
本発明に係るカードコネクタは、上述したように、長手方向端部表面に信号伝達端子を配設したメモリカードと、該メモリカードの全長に対し幅の狭い他のカードとを同時に接続可能なカードコネクタにおいて、前記メモリカードと他のカードとを収容するカードトレイと、該カードトレイが挿入される前面側に開口したトレイ挿入部を有するハウジングと、前記トレイ挿入部に突出するように前記ハウジングの底板部に保持され、前記メモリカードの信号伝達端子と接触するメモリカード用コンタクトと、前記トレイ挿入部に突出するように前記ハウジングの底板部に保持され、前記他のカードの信号伝達端子と接触する他カード用コンタクトとを備え、前記ハウジングには、前記メモリカード用コンタクトが前記トレイ挿入部の奥側又は手前側に片寄せて並設され、前記カードトレイには、トレイ厚み方向の片面側に開口し、該開口より前記メモリカードを嵌め込み可能な凹状のメモリカード収容部と、該メモリカード収容部の開口側に配置され、前記他のカードがその長手方向を前記メモリカードと交差する方向に向けて収容される他カード収容部とを備え、該他カード収容部は、前記メモリカード収容部の開口側縁部に前記他のカードの長手方向端部が嵌り込む一対のカード嵌合凹部を前記メモリカード収容部に対し前記メモリカード用コンタクトと反対側に片寄せて配置することにより形成されていることにより、二枚のカードをカードトレイに重ね合わせて収容できるとともに、重ね合わせた二枚のカードのそれぞれの信号伝達端子に底板側より対応するコンタクトを接触させることができ、多段配置のハウジング構造が必要なく、カード間にカードを保持するための部材を介在させる必要もないので、その分低背化が可能となる。
【００１３】
また、本発明において、前記他カード用コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングの底板部に支持させ、前記弾性接触部の先端部に形成された接点を前記他のカードの信号伝達端子と接触させるようにしたことにより、他のカードをその長手方向をコネクタ幅方向に向けたことでトレイ挿入方向間の信号伝達端子間方向間隔が狭い場合でも、他のカードと接触する部分をトレイ挿入方向に向けるとともに十分なバネスパンを確保することができる。
【図面の簡単な説明】
【００１４】
【図１】本発明に係るカードコネクタの一例を示す縦断面図である。
【図２】図１中のメモリカードを示す平面図である。
【図３】同上の他のカードの一例を示す平面図である。
【図４】（ａ）は図１中のカードトレイを示す底面図、（ｂ）は同Ａ−Ａ線断面図、（ｃ）は同Ｂ−Ｂ線断面図である。
【図５】図１中のハウジングの他カード用コンタクト部分を示すシールドカバーを外した状態の部分平面図である。
【図６】図４中のカードトレイにメモリカード及び他のカードを収容した状態を示す図であって、（ａ）は底面図、（ｂ）は同Ａ−Ａ線断面図、（ｃ）は同Ｂ−Ｂ線断面図である。
【発明を実施するための形態】
【００１５】
次に、本発明に係るカードコネクタの実施の態様を図１〜図６に示した実施例に基づいて説明する。尚、図中符号１はカードコネクタ、符号２はカードコネクタ１が実装されるプリント配線基板である。
【００１６】
このカードコネクタ１は、メモリカード３と他のカード４とを収容するカードトレイ５と、カードトレイ５が挿入される前面側に開口したトレイ挿入部６１を有するハウジング６と、トレイ挿入部６１に突出するようにハウジング６の底板部６２１に保持され、メモリカード３の信号伝達端子と接触するメモリカード用コンタクト７，７...と、トレイ挿入部６１に突出するようにハウジング６の底板部６２１に保持され、他のカード４の信号伝達端子と接触する他カード用コンタクト８，８...とを備え、カードトレイ５にメモリカード３及び他のカード４を収容させ、その状態でカードトレイ５をトレイ挿入部６１に挿入することによりメモリカード３の信号伝達端子３２，３２...が対応するメモリカード用コンタクト７，７...と弾性的に接触し、他のカード４の信号伝達端子４２，４２...が対応する他カード用コンタクト８，８...と弾性的に接触し、メモリカード３及び他のカード４とプリント配線基板２とをカードコネクタ１を介して電気的に接続するようになっている。
【００１７】
尚、本実施例では、ハウジング６の基板２実装側をトレイ挿入部６１の底とし、トレイ挿抜方向の奥側を前、手前側を後として説明する。
【００１８】
メモリカード３は、例えば、図２に示すように、小型のフラッシュメモリカードであって、カード全幅Ｄ１に比してカード全長Ｌ１が長い矩形状に形成され、カード長手方向の一方の端部に他の部分に比してカード幅の狭い縮幅部３１を有している。
【００１９】
この縮幅部３１は、カード幅Ｄ１方向の一方に片寄せて配置され、この縮幅部３１の片面にカード全長方向に向けた複数の信号伝達端子３２，３２...が互いに平行にカード幅方向に並べて配列されている。
【００２０】
他のカード４は、例えば、図３に示す如きＩＣカードであって、カード全幅Ｄ２に比してカード全長Ｌ２が長い矩形状に形成され、カード全長Ｌ２がメモリカード３の全幅Ｄ１より長く、且つ、カード全幅Ｄ２がメモリカード３の全長Ｌ１より狭く形成されている。尚、図中符号４１は矩形状の一方の隅部に斜め方向に切欠いた形状の位置決め部である。
【００２１】
このカード４の片面には、複数の信号伝達端子４２，４２...をカード幅方向に並べてなる一対の信号伝達端子列がカード全長方向に間隔を置いて並列配置に形成されている。
【００２２】
カードトレイ５は、図４に示すように、メモリカード３及び他のカード４を収容可能な一定の厚みを有する平板状のトレイ本体５１と、トレイ本体５１のトレイ挿入方向手前側に配置された前面蓋部５２とを有している。
【００２３】
トレイ本体５１は、トレイ厚み方向の片面側、本実施例では底側に開口し、開口よりメモリカード３を嵌め込み可能な凹状のメモリカード収容部５３と、メモリカード収容部５３の開口側に配置され、他のカード４をその長手方向をメモリカード３と交差する方向に向けて収容する他カード収容部５４とを備え、メモリカード３と他のカード４とが互いに交差しつつ重ね合わせた状態に収容できるようになっている。
【００２４】
メモリカード収容部５３は、メモリカード３の外形に整合させてトレイ本体５１の片面側よりトレイ本体５１の厚み方向に凹ませた形状に形成され、メモリカード３が信号伝達端子３２，３２...側面を開口側に向けて収容されるようになっている。
【００２５】
即ち、メモリカード収容部５３は、トレイ本体５１のトレイ挿入方向奥側部にメモリカード３の縮幅部３１が嵌め込まれる縮幅凹部５３１と、縮幅凹部５３１のトレイ挿入方向手前側に連続して配置された広幅凹部５３２とを備えた形状に形成されている。
【００２６】
また、メモリカード収容部５３は、メモリカード３の厚みと他のカード４の厚みとを加えた深さ、即ち、カード二枚分の厚みと略同じ深さに形成されている。
【００２７】
他カード収容部５４は、他のカード４の外形に合わせてトレイ本体５１の片面側よりトレイ本体５１の厚み方向に凹ませた形状に形成され、他のカード４が信号伝達端子４２，４２...側面を開口側に向けて収容されるようになっている。
【００２８】
この他カード収容部５４は、メモリカード収容部５３の開口両側縁部に他のカード４の長手方向端部が嵌り込む一対のカード嵌合凹部５４１，５４２をメモリカード収容部５３に対しメモリカード用コンタクト７，７...と反対側、即ち、トレイ挿抜方向の手前側に片寄せて配置することにより形成されている。
【００２９】
即ち、他カード収容部５４は、メモリカード収容部５３のトレイ挿抜方向手前側をトレイ本体５１幅方向で横切る配置に形成されるとともに、メモリカード収容部５３と重なる部分が空隙となっており、他カード収容部５４にカードが未収容の状態では、メモリカード３がメモリカード収容部５３に嵌め込まれるのを妨げない構造になっている。
【００３０】
各カード嵌合凹部５４１，５４２は、他のカード４の厚みと略同じ深さに形成され、一方のカード嵌合凹部５４１には、位置決め部４１の位置に合わせて傾斜部５４３が形成され、位置決め部４１の位置を傾斜部５４３の位置に合わせることにより、他のカード４が一方向でのみ収容されるようになっている。
【００３１】
また、トレイ本体５１には、前端部の片面側にメモリカード収容部５３と連設配置に回避用凹部５５が形成され、メモリカード用コンタクト７，７...及び他カード用コンタクト８，８...を回避用凹部５５に通すことにより、トレイ本体５１とメモリカード用コンタクト７，７...及び他カード用コンタクト８，８...とが互いにトレイ挿抜方向で相対移動可能になっている。
【００３２】
前面蓋部５２は、カードコネクタ１がスマートフォン等の電気機器に組み込まれた際に機器筐体の外側面に露出するようになっており、カードトレイ５がハウジング６より排出された場合、カードトレイ５が機器筐体の外側面より引き出し状に突出するようになっている。
【００３３】
ハウジング６は、絶縁性合成樹脂によってモールド成形されたモールド部６２と、その上面及び側面を覆うように組み込まれたシールドカバー６３とから構成されており、モールド部６２の上面にトレイ挿入部６１がモールド部６２の上面を凹ませた形状に形成され、その上面部をシールドカバー６３によって覆っている。
【００３４】
モールド部６２の底板部６２１には、メモリカード用コンタクト７，７...及び他カード用コンタクト８，８...がインサート成形により一体的に組み込まれ、トレイ挿入部６１のトレイ挿入方向奥側に片寄せて複数のメモリカード用コンタクト７，７...がコネクタ幅方向に間隔を置いた平行配置に並接され、トレイ挿入部６１のトレイ挿入方向手前側の底板部６２１に複数の他カード用コンタクト８，８...がトレイ挿入方向に並べた配置に備えられ、カードトレイ５が挿入された際に、メモリカード用コンタクト７，７...がメモリカード３の片面に配置された信号伝達端子３２，３２...と接触し、他カード用コンタクト８，８...が他のカード４の片面に形成された信号伝達端子４２，４２...と接触するようになっている。
【００３５】
他カード用コンタクト８は、弾性を有する導電性金属板材を打ち抜き・折り曲げ加工することにより形成され、図５に示すように、カードトレイ挿入方向と交差する方向に向けた弾性支持部８１と、弾性支持部８１の一端側にカードトレイ挿入方向に向けて支持させた弾性接触部８２とを一体に備え、弾性支持部８１と弾性接触部８２とが平面視Ｌ字状を成すように形成されている。
【００３６】
弾性支持部８１は、細長板状に形成され、長手方向の一端、即ち弾性接触部８２とは反対側の端部がインサート成形によりモールド部６２に埋設され、他端側がトレイ挿入部６１の底板部６２１に形成された回避窓６２２の内側縁より回避窓６２２内にコネクタ幅方向中央側に向けて水平に突出している。
【００３７】
また、弾性支持部８１の一端側には、接続端子部８３が一体に形成され、この接続端子部８３の先端部がハウジング６側縁部の底面に露出され、半田付け等によりプリント配線基板２の接続パターンに固着されるようになっている。
【００３８】
一方、弾性接触部８２は、弾性支持部８１の中央側端部側縁よりトレイ挿入方向奥側且つシールドケース側に向けた斜め方向に向けて傾斜した形状に形成され、トレイ挿入部６１内に突出して先端の接点８２１がトレイ挿入部６１内底面、即ち底板部６２１よりシールドカバー６３側に浮き上がった状態に備えられている。
【００３９】
他のカード４を他カード収容部５４に収容させた場合、各信号伝達端子列を成す信号伝達端子４２，４２...がトレイ挿入方向に直列に並べて配置されるため、各他カード用コンタクト８の接点８２１，８２１は、トレイ挿入方向に間隔を置いて配置される必要がある。
【００４０】
一方、各他カード用コンタクト８の弾性接触部８２は、カードトレイ挿入時におけるカードトレイ５と他カード用コンタクト８，８...との接触による変形を防止するため、トレイ挿入方向奥側且つシールドケース側に向けて傾斜した形状とし、カードトレイ５の挿入に伴って弾性変形できることが好ましい。
【００４１】
従って、各他カード用コンタクト８，８...は、トレイ挿入方向奥側且つシールドケース側に向けて傾斜した形状の弾性接触部８２がトレイ挿入方向に向けて直列に配置されることが望まれる。
【００４２】
そこで、本実施例の他カード用コンタクト８，８...では、弾性支持部８１と弾性接触部８２とを平面視Ｌ字状を成すように形成することにより、弾性支持部８１の回避窓６２２に露出した部分が弾性接触部８２とともにバネ材として機能し、十分なバネスパンを確保している。
【００４３】
よって、他のカード４をそのカード全長Ｌ２方向をトレイ幅方向に向けてカードトレイ５に収容した場合にも対応できるようになっている。
【００４４】
一方、メモリカード用コンタクト７，７...は、弾性を有する導電性金属板材を打ち抜き・折り曲げ加工することにより一体に形成され、モールド部６２に固定される固定片部７１と、固定片部７１にカードトレイ挿入方向に向けて支持させた弾性接触片部７２とを備えている。
【００４５】
弾性接触片部７２は、トレイ挿入部６１内に突出して先端の接点７２１がトレイ挿入部６１内底面よりシールドカバー６３側に浮き上がった状態に形成され、且つ、接点７２１の高さが他カード用コンタクト８，８...の接点８２１の高さより高く、且つ、メモリカード収容部５３に収容されたメモリカード３の信号伝達端子３２，３２に対し所望の接触圧で接触可能な高さとなるように形成されている。
【００４６】
このカードコネクタ１においては、図６に示すように、メモリカード３及び他のカード４をそれぞれカードトレイ５のメモリカード収容部５３及び他カード収容部５４にそれぞれ収容することにより、二枚のカード３，４をカードトレイ５に重ね合わせて収容でき、その状態でカードトレイ５をハウジング６に対し出し入れすることができるので、両カード３，４間に各カードを保持するための構造を介在させることなく、ハウジング６に対し二枚のカード３，４を出し入れできる。
【００４７】
また、カードトレイ５をトレイ挿入部６１に挿入した際、カードトレイ５に収容されたメモリカード３及び他のカード４は、図６に示すように、他カード収容部５４がメモリカード収容部５３に対し、カード挿抜方向手前側に片寄せて交差するように形成されているので、他カード収容部５４にカード４が収容されるとメモリカード収容部５３の開口部の手前側が他のカード４によって塞がれる一方、奥側に開口したままの端子露出部５３３が形成される。
【００４８】
従って、このように構成されたカードコネクタ１においては、二枚のカード３，４がカードトレイ５に重ね合わせて収容されていても、開口側に位置する他のカード４の信号伝達端子４２，４２...は露出した状態にあり、メモリカード３の各信号伝達端子３２，３２が端子露出部５３３を通して露出しているので、重ね合わされたメモリカード３の各信号伝達端子３２，３２...にメモリカード用コンタクト７，７...が、他のカード４の各信号伝達端子４２，４２...に他カード用コンタクト８，８...がそれぞれ底板部６２１側より接触することができる。
【００４９】
尚、上述の実施例では、メモリカード３と他のカード４とを同時にカードトレイ５に収容した例について説明したが、メモリカード３又は他のカード４を単独で収容し、ハウジング６に接続させることも可能である。
【００５０】
また、他のカード４は、上述の実施例で例示した規格のものに拘泥されず、他のカードがメモリカード３と同様に信号伝達端子をカード全長方向の一方の端部の片面にカード幅方向に配列したものであってもよい。
【符号の説明】
【００５１】
１  カードコネクタ
２  基板
３  メモリカード
３１  縮幅部
３２  信号伝達端子
４  他のカード
４１  位置決め部
４２  信号伝達端子
５  カードトレイ
５１  トレイ本体
５２  前面蓋部
５３  メモリカード収容部
５３１  縮幅凹部
５３２  広幅凹部
５３３  端子露出部
５４  他カード収容部
５４１，５４２  カード嵌合凹部
５４３  傾斜部
５５  回避用凹部
６  ハウジング
６１  トレイ挿入部
６２  モールド部
６２１  底板部
６２２  回避窓
６３  シールドカバー
７  メモリカード用コンタクト
７１  固定片部
７２  弾性接触片部
７２１  接点
８  他カード用コンタクト
８１  弾性支持部
８２  弾性接触部
８２１  接点
８３  接続端子部